(57)【要約】【課題】  構造的な強度を充分に確保できるだけでなく、簡易な構造で組立て作業を容易に行うことができ、コスト面でも有利な木造ユニット式建築構造体、及びその効率的な組立て構法を提供すること。【解決手段】  土台部材Ｂや胴差部材Ｄ上に固定されて壁面を形成する壁パネル枠１と；この壁パネル枠１の外側に張り付けられる構造用面材２と；前記壁パネル枠１の上端部に固定される上階床組の床梁板３とを含んで構成する一方、前記壁パネル枠１については、中央の芯板11aと両側の添え板11b・11bを一体化した縦枠材11と、この縦枠材11・11同士を繋ぐ横枠材12とから構成し、前記縦枠材11の添え板11b・11bには芯板11aよりも長尺の板材を使用して、縦枠材11の上端部に芯板11aの部分が凹んだ嵌込み溝13を形成し、更に前記床梁板３を壁パネル枠１の縦枠材11の嵌込み溝13内に差し込んだ状態で固定した。【選択図】  図１
2020007827.tif 000002
【特許請求の範囲】
【請求項１】
ユニット化された壁部材や屋根部材を現場で組み上げて構築される木造ユニット式建築構造体であって、
土台部材(Ｂ)や胴差部材(Ｄ)上に固定されて壁面を形成する壁パネル枠(１)と；この壁パネル枠(１)の外側に張り付けられる構造用面材(２)と；前記壁パネル枠(１)の上端部に固定される上階床組の床梁板(３)とを含んで構成される一方、
前記壁パネル枠(１)については、中央の芯板(11a)と両側の添え板(11b)(11b)が一体化した縦枠材(11)と、この縦枠材(11)(11)同士を繋ぐ横枠材(12)とから構成され、前記縦枠材(11)の添え板(11b)(11b)には芯板(11a)よりも長尺の板材が使用されて、縦枠材(11)の上端部に芯板(11a)の部分が凹んだ嵌込み溝(13)が形成されており、
更に前記床梁板(３)が壁パネル枠(１)の縦枠材(11)の嵌込み溝(13)内に縦向きに差し込まれた状態で固定されていることを特徴とする木造ユニット式建築構造体。
【請求項２】
壁パネル枠(１)の上桟板(12c)に、縦枠材(11)や胴差板(Ｄ)よりも幅が小さい板材が使用されて上桟板(12c)の側方に凹溝が形成され、この縦枠材(11)と胴差板(Ｄ)間に形成された凹溝内に上階床組の床下地板(５)が差し込まれていることを特徴とする請求項１記載の木造ユニット式建築構造体。
【請求項３】
ユニット化された壁部材や屋根部材を現場で組み上げて構築される木造ユニット式建築構造体であって、
土台部材(Ｂ)や胴差部材(Ｄ)上に固定されて壁面を形成する壁パネル枠(１)と；この壁パネル枠(１)の外側に貼り付けられる構造用面材(２)と；前記壁パネル枠(１)上に載置されて屋根面を形成する複数の合掌フレーム(４)とを含んで構成される一方、
前記壁パネル枠(１)については、中央の芯板(11a)と両側の添え板(11b)(11b)が一体化した縦枠材(11)と、この縦枠材(11)(11)同士を繋ぐ横枠材(12)とから構成され、前記縦枠材(11)の添え板(11b)(11b)には芯板(11a)よりも長尺の板材が使用されて、縦枠材(11)の上端部に芯板(11a)の部分が凹んだ嵌込み溝(13)が形成されており、
更に前記合掌フレーム(４)については、頂点部で突き合わせて固定される一対の垂木板(41)(41)と、これら垂木板(41)(41)同士を内側で繋ぐ下弦板(42)とを含んで構成されると共に、前記垂木板(41)が前記壁パネル枠(１)の縦枠材(11)の嵌込み溝(13)内に差し込まれた状態で固定されていることを特徴とする木造ユニット式建築構造体。
【請求項４】
全ての或いは一部の合掌フレーム(４)において、垂木板(41)(41)の片面に下弦板(42)が固定されると共に、垂木板(41)(41)の同じ面の頂点部から下弦板(42)の固定部にかけて下弦板(42)と同じ厚みの補強板(43)(43)が添え付けられ、更にこれら補強板(43)(43)と前記下弦板(42)に対して、束板(44a)と方杖板(44b)を含むトラス腹材(44)が固定されていることを特徴とする請求項３に記載の木造ユニット式建築構造体。
【請求項５】
一部の合掌フレーム(４)において、垂木板(41)(41)の頂点部の片面または両面に三角形型の補強用面材(45)が張り付けられると共に、垂木板(41)(41)の内側に、前記補強用面材(45)の下側の輪郭に沿って配置される横架材(46a)を含む面材固定板(46)が設けられて、この面材固定板(46)と垂木板(41)(41)に対し補強用面材(45)が固定されていることを特徴とする請求項４記載の木造ユニット式建築構造体。
【請求項６】
請求項１または２に記載の木造ユニット式建築構造体の組立て構法であって、
土台部材(Ｂ)上に２本以上の縦枠材(11)(11)…とそれらを繋ぐ横枠材(12)から成る壁パネル枠ユニット(Ｕ)(Ｕ)…を並設して壁パネル枠(１)を構築すると共に、前記壁パネル枠ユニット(Ｕ)として、両側に配置された縦枠材(11)の一方が芯板(11a)と片側の添え板(11b)のみから構成され、かつ、他方の縦枠材(11)が添え板(11b)のみから構成されたものを使用することにより、土台部材(Ｂ)上に並べた壁パネル枠ユニット(Ｕ)(Ｕ)の端側の縦枠材(11)(11)同士を、芯板(11a)の両側に添え板(11b)(11b)が配置されるように固定して一体化することを特徴とする木造ユニット式建築構造体の組立て構法。
【発明の詳細な説明】
【技術分野】
【０００１】
本発明は、木造ユニット式建築構造体の改良、詳しくは、構造的な強度を充分に確保できるだけでなく、簡易な構造で組立て作業を容易に行える木造ユニット式建築構造体、及びその効率的な組立て構法に関するものである。
【背景技術】
【０００２】
周知のとおり、住宅等の木造建築物においては、在来工法(木造軸組構法)がよく知られているが、在来工法においては、構成部材として重量の大きい柱材や梁材を使用するため、クレーン等の重機を使用する必要があり、また柱材や梁材などの構成部材同士の連結も高い技能を持つ職人が多種多様な仕口を設けて接合する必要があった。
【０００３】
そのため、従来においては、現場での施工を容易に行えるように屋根部材をユニット化して現場で組み立てる工法も開発されているが(例えば、特許文献１参照)、これらの従来技術に関しては、壁部材上に屋根ユニットを正確に位置決めして固定金具で連結する必要があったため、施工作業を効率的に行うことが難しかった。
【０００４】
また従来においては、壁部材をユニット化して現場で組み立てる工法も知られているが(例えば、特許文献２参照)、これらの技術に関しては、二階建て以上の建築物において、上階の床梁材を設置する際に特許文献３に示すような床梁材を受けるための横架材を壁ユニット部材に設けて固定金具で連結する必要があった。
【０００５】
そのため、上記従来技術においては、施工作業を効率的に行うことが難しいだけでなく、上階の床梁材を受けるための横架材の分だけ材料コストも高く付き易かった。また上記文献３の構造では、壁ユニットの縦材が一階部分から二階部分まで連続した構造とする必要があったため、壁ユニットを小型化することも難しかった。
【先行技術文献】
【特許文献】
【０００６】
【特許文献１】特開２０１５−１７２２９０号
【特許文献２】特開平２−２０９５３７号公報
【特許文献３】特開２０００−１２９７７６号公報
【発明の概要】
【発明が解決しようとする課題】
【０００７】
本発明は、従来技術に上記問題があったことに鑑みて為されたものであり、その目的とするところは、構造的な強度を充分に確保できるだけでなく、簡易な構造で組立て作業を容易に行うことができ、コスト面でも有利な木造ユニット式建築構造体、及びその効率的な組立て構法を提供することにある。
【課題を解決するための手段】
【０００８】
本発明者が上記技術的課題を解決するために採用した手段を、添付図面を参照して説明すれば、次のとおりである。
【０００９】
即ち、本発明は、ユニット化された壁部材や屋根部材を現場で組み上げて構築される木造ユニット式建築構造体において、土台部材Ｂや胴差部材Ｄ上に固定されて壁面を形成する壁パネル枠１と；この壁パネル枠１の外側に張り付けられる構造用面材２と；前記壁パネル枠１の上端部に固定される上階床組の床梁板３とを含んで構成する一方、前記壁パネル枠１については、中央の芯板11aと両側の添え板11b・11bを一体化した縦枠材11と、この縦枠材11・11同士を繋ぐ横枠材12とから構成し、前記縦枠材11の添え板11b・11bには芯板11aよりも長尺の板材を使用して、縦枠材11の上端部に芯板11aの部分が凹んだ嵌込み溝13を形成し、更に前記床梁板３を壁パネル枠１の縦枠材11の嵌込み溝13内に差し込んだ状態で固定した点に特徴がある(図１、図３参照)。
【００１０】
また本発明においては、上記壁パネル枠１の上桟板12cに、縦枠材11や胴差板Ｄよりも幅が小さい板材を使用して上桟板12cの側方に凹溝を形成し、この縦枠材11と胴差板Ｄ間に形成された凹溝内に上階床組の床下地板５を差し込むことにより、床下地板５の固定をしっかりと行えるようにしている（図２参照）。
【００１１】
また本発明では、木造ユニット式建築構造体として、土台部材Ｂや胴差部材Ｄ上に固定されて壁面を形成する壁パネル枠１と；この壁パネル枠１の外側に貼り付けられる構造用面材２と；前記壁パネル枠１上に載置されて屋根面を形成する複数の合掌フレーム４とを含んで構成する一方、前記壁パネル枠１については、中央の芯板11aと両側の添え板11b・11bが一体化した縦枠材11と、この縦枠材11・11同士を繋ぐ横枠材12とから構成し、前記縦枠材11の添え板11b・11bに芯板11aよりも長尺の板材を使用して、縦枠材11の上端部に芯板11aの部分が凹んだ嵌込み溝13を形成し、更に前記合掌フレーム４については、頂点部で突き合わせて固定される一対の垂木板41・41と、これら垂木板41・41同士を内側で繋ぐ下弦板42とを含んで構成すると共に、前記垂木板41を前記壁パネル枠１の縦枠材11の嵌込み溝13内に差し込んだ状態で固定する構造も採用できる（図３参照）。
【００１２】
また本発明では、全ての或いは一部の合掌フレーム４において、垂木板41・41の片面に下弦板42を固定すると共に、垂木板41・41の同じ面の頂点部から下弦板42の固定部にかけて下弦板42と同じ厚みの補強板43・43を添え付け、更にこれら補強板43・43と前記下弦板42に対して、束板44aと方杖板44bを含むトラス腹材44を固定することにより、耐荷重性に優れた合掌フレーム４を形成することができる（図４参照）。
【００１３】
また上記合掌フレーム４を一部に採用する場合には、その他の一部の合掌フレーム４において、垂木板41・41の頂点部の片面または両面に三角形型の補強用面材45を張り付けると共に、垂木板41・41の内側に、前記補強用面材45の下側の輪郭に沿って配置される横架材46aを含む面材固定板46を設けて、この面材固定板46と垂木板41・41に対し補強用面材45を固定したものを使用することにより、耐荷重性を大きく損なわずに屋根材の重量を軽減することができる（図９参照）。
【００１４】
他方、本発明においては、上記木造農業用ハウスの組立て構法として、土台部材Ｂ上に２本以上の縦枠材11・11…とそれらを繋ぐ横枠材12から成る壁パネル枠ユニットＵ・Ｕ…を並設して壁パネル枠１を構築すると共に、前記壁パネル枠ユニットＵとして、両側に配置された縦枠材11の一方が芯板11aと片側の添え板11bのみから構成され、かつ、他方の縦枠材11が添え板11bのみから構成されたものを使用することにより、土台部材Ｂ上に並べた壁パネル枠ユニットＵ・Ｕの端側の縦枠材11・11同士を、芯板11aの両側に添え板11b・11bが配置されるように固定して一体化することもでき、その場合には、クレーン等を使用せずに壁パネル枠１の構築を行うことができる（図１、図３参照）。
【発明の効果】
【００１５】
本発明では、木造ユニット式建築構造体の壁パネル枠の縦枠材を芯板とその両側の添え板とから構成し、縦枠材の上面に嵌込み溝を形成して、この溝内に床梁板や合掌フレームの垂木板を差し込んで固定しているため、壁パネル枠に対する床梁板や合掌フレームの位置決めと固定を容易に行うことができる。
【００１６】
また本発明の木造ユニット式建築構造体は、二階建て以上の構造であっても壁パネル枠を一階部分と二階部分に分けて小型にユニット化することができ、壁ユニット同士の連結も現場で容易に行える。また本発明の木造ユニット式建築構造体では、施工作業にクレーン等の重機も必要なく壁ユニットの運搬も容易に行うことができる。
【００１７】
以上のように、本発明によって、従来よりも運搬作業や施工作業を効率的かつ低コストに行うことができ、かつ、木造建築物としての充分な強度も確保できる木造ユニット式建築構造体ことから、本発明の実用的価値は頗る高い。
【図面の簡単な説明】
【００１８】
【図１】本発明の第一実施形態における木造ユニット式建築構造体を表す拡大斜視図である。
【図２】本発明の第一実施形態における木造ユニット式建築構造体を表す全体概略図である。
【図３】本発明の第一実施形態における壁パネル枠及び床梁板の固定構造を表わす分解斜視図である。
【図４】本発明の第一実施形態における壁パネル枠及び合掌フレームの固定構造を表す分解斜視図である。
【図５】本発明の第一実施形態における壁構造を表す説明図である。
【図６】本発明の第一実施形態における合掌フレームを表す斜視図である。
【図７】本発明の第一実施形態における妻側の壁パネル枠を表す全体概略図である。
【図８】本発明の第一実施形態における妻側の壁パネル枠を表す説明図図である。
【図９】本発明の第二実施形態における木造ユニット式建築構造体を表す全体概略図である。
【図１０】本発明の第二実施形態における合掌フレームを表す斜視図である。
【発明を実施するための形態】
【００１９】
『第一実施形態』
本発明の第一実施形態を、図１から図６に基いて以下に説明する。ちなみに同図において、符号１で指示するものは、壁パネル枠であり、符号２で指示するものは、構造用面材である。また符号３で指示するものは、床梁板であり、符号４で指示するものは、合掌フレームである。また符号５で指示するものは、床下地板であり、符号６で指示するものは、床梁繋ぎ板である。また符号７で指示するものは、合掌フレーム繋ぎ板である。
【００２０】
「木造ユニット式建築構造体の構成」
[１]木造ユニット式建築構造体の基本構成について
本実施形態の木造ユニット式建築構造体では、図１及び図２に示すように、屋根の軒側に設置された木板材から成る土台部材Ｂ・Ｂ上にそれぞれ壁パネル枠１・１を固定して立設すると共に、この壁パネル枠１の外側に構造用面材２を張り付けて一階部分の壁部を構築している。そして、この土台Ｂ・Ｂ上に固定した一階部分の壁パネル枠１・１の上端部に、床梁板３・３…を差し込み固定して床梁板３・３…が所定間隔で棟方向に並んだ上階床組を構築している。
【００２１】
また上記一階部分の壁部を構成している壁パネル枠１上には、床梁板３を差し込んだ状態で木板材から成る胴差部材Ｄ・Ｄを載置して固定すると共に、この胴差部材Ｄ・Ｄ上に一階部分と同様、壁パネル枠１・１を固定して立設し、更にこの壁パネル枠１の外側に構造用面材２を張り付けて二階部分の壁部を構築している。そして、この胴差部材Ｄ・Ｄ上に固定した二階部分の壁パネル枠１・１の上端部に、複数の合掌フレーム４・４…を差し込み固定して合掌フレーム４・４…が所定間隔で棟方向に並んだ屋根部を構築している。
【００２２】
また上記一階部分と二階部分の壁パネル枠１・１については、図３〜図５に示すように、中央の芯板11aと両側の添え板11b・11bが一体化した縦枠材11・11…を横枠材12で繋いで格子状に一体化した構造となっており、また縦枠材11の添え板11b・11bには、芯板11aよりも長尺の板材を使用して、縦枠材11の上端部に芯板11aの部分が凹んだ嵌込み溝13を形成している。そして、上記二階部分の床組を構成する床梁板３を、図２及び図３に示すように、一階部分の壁パネル枠１の縦枠材11の嵌込み溝13内に差し込んで固定している。
【００２３】
また上記合掌フレーム４については、図１及び図６に示すように、屋根の頂点部で突き合わせた状態で固定した一対の垂木板41・41を、これらの内側に水平方向に配置した下弦板42で繋いで一体化した構造となっており、この合掌フレーム４の垂木板41・41を、図２及び図４に示すように上記壁パネル枠１の縦枠材11の嵌込み溝13内に差し込んで固定している。
【００２４】
これにより、ユニット化された壁部材や屋根部材を現場で組み上げて構築できるだけでなく、柱材や梁材、軒桁等に角材を使用せずに簡易な構造で、かつ、構造的に充分な強度を有する木造ユニット式建築構造体を構築できる。また壁パネル枠１や合掌フレーム４は、工場で予め製造しておくことが可能であるだけでなく、複数の部品にユニット化することも可能であるため、部材コストや施工コストを抑えられる。
【００２５】
[２]壁パネル枠について
[2-1]縦枠材
次に上記木造ユニット式建築構造体の各構成要素について説明する。まず壁パネル枠１の縦枠材11に関しては、図３及び図４に示すように、木製の芯板11aと添え板11b・11bを一体化したものを使用し、本実施形態では、載置される構造材から受ける荷重に耐えられるように芯板11aに添え板11b・11bよりも厚みの大きい板材を使用している。また本実施形態では、芯板11aと添え板11b・11bをビス打ちして一体化している。
【００２６】
[2-2]横枠材
次に上記壁パネル枠１の横枠材12に関しては、図３及び図４に示すように、縦枠材11・11…の下端に固定される下桟板12aと、縦枠材の上下中間位置に所定間隔で固定される複数の中間桟板12b・12bとを少なくとも有し、本実施形態では、二階部分の壁パネル枠１の最上部の中間桟板12bを芯板11aの上端に合わせて配置している。また本実施形態では、縦枠材11に対する横枠材12の連結、及び土台部材Ｂまたは胴差部材Ｄに対する下桟板12aの固定をビス打ちにより行っている。
【００２７】
[2-3]嵌込み溝
次に上記壁パネル枠１の嵌込み溝13に関しては、図３及び図４に示すように、芯板11aに対する添え板11b・11bの突出部の長さ(嵌込み溝13の深さ)を、差し込まれる床張板３や合掌フレーム４の垂木板41の板幅に合わせて形成している。また本実施形態では、二階部分の壁パネル枠１において、縦枠材11の芯板11aの上端面に垂木板21の屋根勾配に応じた傾斜面を形成することで、芯板11aの上端面と垂木板21の下面とを面接触させた状態で固定できるようにしている。
【００２８】
[2-4]厚みの大きい縦枠材の使用
また本実施形態では、図５に示すように、一階部分の縦枠材11・11…の一部に厚みの大きい芯板11a’を用いた縦枠材11’を使用している。これにより建築構造体の耐荷重性を向上させることができる。また厚みの大きい縦枠材11’の嵌込み溝13’には、他の床梁板３よりも厚みの大きい床梁板３’(積層板等)が差し込まれる。
【００２９】
[３]壁用の構造用面材について
次に上記壁パネル枠１の外側に張り付けられる構造用面材２に関しては、図１及び図２に示すように、本実施形態では一階部分及び二階部分の壁部にＭＤＦ合板を使用しているが、壁部の構造強度を確保できる板材であれば、構造用合板などの他の材料を使用することもできる。また本実施形態では、壁パネル枠１に対する構造用面材２の固定をビス打ちにより行っている。
【００３０】
[４]床梁板について
次に上記壁パネル枠１の上端部に固定される床梁板３に関しては、図２及び図３に示すように、本実施形態では上記壁パネル枠１の嵌込み溝13に挿入可能な厚さの木板材を使用して、これを表裏面が横を向いた状態(木端面が上下を向いた状態)で壁パネル枠１の嵌込み溝13に差し込んでいる。また本実施形態では、上記壁パネル枠１の縦枠材11の添え板11b・11bに対する床梁板３の固定をビス打ちにより行っている。
【００３１】
[５]合掌フレームについて
[5-1]垂木板と下弦板
次に上記合掌フレーム４に関しては、図６に示すように、一対の垂木板41・41を逆Ｖ型に突き合わせ、その間に下弦板42となる板材を配置している。また本実施形態では、下弦板42を垂木板41・41の片面側にビス打ちにより固定し、垂木板41・41の突合わせ部は、頂点部から鉛直方向に配置された束材44aによって連結している(詳しくは後述する)。
【００３２】
また上記合掌フレーム４の垂木板41・41については、図４に示すように、芯板11aと同じ厚みの板材を使用して、これらの垂木板41・41…を壁パネル枠１の嵌込み溝13・13…に差し込んでいる。また本実施形態では、上記壁パネル枠１の縦枠材11の添え板11b・11bに対する垂木板41の固定をビス打ちにより行っている。
【００３３】
[5-2]補強板とトラス腹材
また本実施形態においては、全ての合掌フレーム４において、図６に示すように、垂木板41・41の下弦板42が固定された面の頂点部から下弦板42の固定部にかけて下弦板42と同じ厚みの補強板43・43(※図中において色が異なる部分)を添え付けると共に、これら補強板43・43と下弦板42に対して、束板44aと方杖板44bを含むトラス腹材44を固定して構成している。これにより、合掌フレーム４の耐荷重性を改善できる。
【００３４】
また上記トラス腹材44についてもう少し具体的に説明すると、束板44aとして合掌フレーム４の中央(頂点部の位置)に真束を固定すると共に、その両側に小屋束を二枚ずつ所定間隔で固定している。そして、これら真束と小屋束および小屋束同士を対角線上に繋ぐように方杖板44bを固定している。なお本実施形態では、補強板43・43及びトラス腹材44の固定をビス打ちにより行っている。
【００３５】
[６]床下地板について
一方、本実施形態では、図１及び図２に示すように、上記壁パネル枠１の上桟板12cに縦枠材11や胴差板Ｄよりも幅が小さい板材を使用して上桟板12cの側方に凹溝を形成すると共に、この縦枠材11と胴差板Ｄ間に形成された凹溝内に上階床組の床下地板５(構造用合板)を差し込んで床下地板５の固定を行っている。
【００３６】
[７]繋ぎ板について
[7-1]床梁繋ぎ板
また本実施形態では、図１及び図２に示すように、棟方向に並んだ複数の床梁板３・３…を、床梁板３の長さ方向に所定間隔で配置した木板から成る床梁繋ぎ板６・６…によって連結一体化している。また本実施形態では、各床梁板３・３…間に配置される床梁繋ぎ板６・６…を棟方向に一列に並ぶように配置して端面側をビス打ちすることより床梁板３・３…に固定している。なお床梁板３・３…と床梁繋ぎ板６・６…は、予め工場等でユニット化しておくこともできる。
【００３７】
[7-2]合掌フレーム繋ぎ板
また本実施形態では、図１に示すように、屋根の棟部と軒部の中間部において、隣り合う合掌フレーム４・４の間に木板から成る合掌フレーム繋ぎ板７・７…を所定間隔で配置して合掌フレーム４・４同士を連結している。また本実施形態では、各合掌フレーム４・４…間に配置される合掌フレーム繋ぎ板７・７…を棟方向に一列に並ぶように配置して端面側をビス打ちすることより合掌フレーム４に固定している。なお合掌フレーム４・４…と合掌フレーム繋ぎ板７・７…は、予め工場等でユニット化しておくこともできる。
【００３８】
[８]土台板及び胴差板について
また本実施形態では、図５に示すように、上記土台板Ｂ及び胴差板Ｄを主材となる板材の片面または両面に高さ調整用の板材を積層して構成している。これにより壁パネル枠の位置調整を容易に行うことができる。もちろん、土台板Ｂ及び胴差板Ｄを一枚の板材から構成して、板材の厚さを変えることで高さ調整を行うこともできる。
【００３９】
[９]妻側の壁パネル構造について
また本実施形態では、図７及び図８に示すように、妻側の壁部に軒側の壁部とは異なる壁パネル枠１を使用している。具体的には、図８に示すように、妻側の壁パネル枠１を、二枚の添え板11b・11bから成る縦枠材11・11…を横枠材12(下桟板12a、中桟板12b、上桟板12c)で繋いで格子状に一体化した構造としている。これにより、壁パネル枠１を軽量化することができるため、施工が容易となる。なお妻側の壁パネル枠１については、床梁板や合掌フレームを差し込む必要がないため、芯板や嵌込み溝を省略しても構造上の問題は生じない。
【００４０】
「木造ユニット式建築構造体の組立て方法」
[１]一階部分の壁パネル枠の設置
次に上記木造ユニット式建築構造体の組立て方法について説明する。まず本実施形態では、土台部材Ｂ上に、図３に示す２本以上の縦枠材11・11…とそれらを繋ぐ横枠材12から成る壁パネル枠ユニットＵ・Ｕ…を並べて固定すると共に、並設時にこれらの壁パネル枠ユニットＵ・Ｕ…を順次一体化して一階部分の壁パネル枠１を立設する。
【００４１】
また上記壁パネル枠ユニットＵについては、両側に配置された縦枠材11の一方を芯板11aと片側の添え板11bのみから構成し、更に他方の縦枠材11を添え板11bのみから構成することにより、土台部材Ｂ上に並べた隣り合うユニットの端側の縦枠材11・11同士を、芯板11aの両側に添え板11b・11bを配置した状態で連結一体化することができる。
【００４２】
[２]構造用面材の張り付けと床梁板の固定
また上記一階部分の壁パネル枠１を立設した後は、壁パネル枠１の外側に図１及び図２に示すように構造用面材２の張り付けを行う。そして、一階部分の壁パネル枠１の嵌め込み溝13・13…に床梁板３・３…を差し込んでビス打ち固定すると共に、固定された床梁板３・３…同士を床梁繋ぎ板６・６…によって連結する。なお構造用面材２の張り付けは、床梁板３を固定した後に行うこともできる。
【００４３】
[３]胴差部材の固定と二階部分の壁パネル枠の設置
また上記床梁板３・３…を固定した後は、一階部分の壁パネル枠１の上端に胴差部材Ｄを載置して固定する。そして、この胴差部材Ｄ上に、図４に示す壁パネル枠ユニットＵ・Ｕ…を並べて固定すると共に、並設時にこれらの壁パネル枠ユニットＵ・Ｕ…を順次一体化して二階部分の壁パネル枠１を立設する。
【００４４】
[４]構造用面材の張り付けと合掌フレームの固定
また上記二階部分の壁パネル枠１を構築した後は、図４に示すように壁パネル枠１・１上に合掌フレーム４・４…の垂木板21・21を、壁パネル枠１の嵌込み溝13・13に差し込んでビス打ち固定すると共に、固定された合掌フレーム２・２…同士を合掌フレーム繋ぎ板７・７…によって連結する。これにより効率的に建築構造体の構築を行うことが可能となる。
【００４５】
『第二実施形態』
「木造ユニット式建築構造体の構成」
[１]合掌フレームについて
次に本発明の第二実施形態を、図９及び図１０に基いて以下に説明する。本実施形態においては、第一実施形態で使用したトラス腹材44を有する合掌フレーム４に加え、図１０(a)(b)に示すように垂木板41・41の頂点部の片面側に三角形型の補強用面材45(構造用合板)を張り付け、更に垂木板41・41の内側に、補強用面材45の下側の輪郭に沿って配置される横架材46aを含む面材固定板46(補強用面材45をビス打ち固定するための板材)を設けた合掌フレーム４’を使用して、構造の異なる２種の合掌フレーム４・４’を棟方向に交互に配置している。
【００４６】
これにより、屋根の耐荷重性を大きく損なわずに合掌フレーム４・４’…全体の重量を低減することができる。また本実施形態では、図８(b)に示すように上記合掌フレーム４’の面材固定板46として横架材46aの左右中央と垂木板41・41の頂点とを繋ぐ鉛直材41bを設けることにより、補強用面材45の固定箇所を増やして合掌フレーム４’の頂点部の強度を高めている。なおトラス腹材44を有する合掌フレーム４と補強用面材45を有する合掌フレーム４’の比率や配置については、強度に応じて適宜変更できる。
【００４７】
本発明は、概ね上記のように構成されるが、本発明は図示の実施形態に限定されるものでは決してなく、「特許請求の範囲」の記載内において種々の変更が可能であって、例えば、木材同士を連結する手段に関しては、ビス打ち以外の釘打ちやボルト・ナットによる締結、接着等の手段を採用することもできる。
【００４８】
また上記実施形態では、二階建ての建築構造を採用しているが、上記壁パネル枠１と合掌フレーム４・４…の組立て構造を一階建ての平屋構造において採用することもできる。また上記壁パネル枠１と床梁板３・３…の組立て構造、三階建て以上の建築構造体に採用することもできる。
【産業上の利用可能性】
【００４９】
本発明は、壁部材や屋根部材をユニットした住宅や小屋、施設等の木造建築物において施工コストを低減するために幅広く利用できる技術であるため、その産業上の利用価値は非常に高い。
【符号の説明】
【００５０】
１  壁パネル枠
11  縦枠材
11a  芯板
11b  添え板
12  横枠材
12a  下桟板
12b  中桟板
12c  上桟板
13  嵌込み溝
２  構造用面材
３  床梁板
４  合掌フレーム
41  垂木板
42  下弦板
43  補強板
44  トラス腹材
44a  束板
44b  方杖板
45  補強用面材
46  面材固定板
46a  横架材
46b  鉛直材
５  床下地板
６  床梁繋ぎ板
７  合掌フレーム繋ぎ板
Ｂ  土台部材
Ｄ  胴差部材
Ｕ  壁パネル枠ユニット
【図１】
2020007827.tif 000003
【図２】
2020007827.tif 000004
【図３】
2020007827.tif 000005
【図４】
2020007827.tif 000006
【図５】
2020007827.tif 000007
【図６】
2020007827.tif 000008
【図７】
2020007827.tif 000009
【図８】
2020007827.tif 000010
【図９】
2020007827.tif 000011
【図１０】
2020007827.tif 000012
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
ユニット化された壁部材や屋根部材を現場で組み上げて構築される木造ユニット式建築構造体であって、
土台部材(Ｂ)や胴差部材(Ｄ)上に固定されて壁面を形成する壁パネル枠(１)と；この壁パネル枠(１)の外側に張り付けられる構造用面材(２)と；前記壁パネル枠(１)の上端部に固定される上階床組の床梁板(３)とを含んで構成される一方、
前記壁パネル枠(１)については、継ぎ目の無い中央の芯板(11a)と継ぎ目の無い両側の添え板(11b)(11b)が一体化した縦枠材(11)と、この縦枠材(11)(11)同士を繋ぐ横枠材(12)とから構成され、前記縦枠材(11)の芯板(11a)には前記縦枠材(11)の添え板(11b)(11b)よりも厚みの大きい板材が使用され、前記縦枠材(11)の添え板(11b)(11b)には芯板(11a)よりも長尺の板材が使用されて、縦枠材(11)の上端部に芯板(11a)の部分が凹んだ嵌込み溝(13)が形成されており、芯板(11a)に対する添え板(11b)(11b)の突出部の長さが、前記床梁板(３)の板幅に合わせて形成されて、
更に前記床梁板(３)が壁パネル枠(１)の縦枠材(11)の嵌込み溝(13)内に縦向きに差し込まれた状態で固定されていることを特徴とする木造ユニット式建築構造体。
【請求項２】
壁パネル枠(１)の上桟板(12c)に、縦枠材(11)や胴差板(Ｄ)よりも幅が小さい板材が使用されて上桟板(12c)の側方に凹溝が形成され、この縦枠材(11)と胴差板(Ｄ)間に形成された凹溝内に上階床組の床下地板(５)が差し込まれていることを特徴とする請求項１記載の木造ユニット式建築構造体。
【請求項３】
ユニット化された壁部材や屋根部材を現場で組み上げて構築される木造ユニット式建築構造体であって、
土台部材(Ｂ)や胴差部材(Ｄ)上に固定されて壁面を形成する壁パネル枠(１)と；この壁パネル枠(１)の外側に貼り付けられる構造用面材(２)と；前記壁パネル枠(１)上に載置されて屋根面を形成する複数の合掌フレーム(４)とを含んで構成される一方、
前記壁パネル枠(１)については、継ぎ目の無い中央の芯板(11a)と継ぎ目の無い両側の添え板(11b)(11b)が一体化した縦枠材(11)と、この縦枠材(11)(11)同士を繋ぐ横枠材(12)とから構成され、前記縦枠材(11)の芯板(11a)には前記縦枠材(11)の添え板(11b)(11b)よりも厚みの大きい板材が使用され、前記縦枠材(11)の添え板(11b)(11b)には芯板(11a)よりも長尺の板材が使用されて、縦枠材(11)の上端部に芯板(11a)の部分が凹んだ嵌込み溝(13)が形成されており、芯板(11a)に対する添え板(11b)(11b)の突出部の長さが、前記合掌フレーム(４)の垂木板(41)の板幅に合わせて形成されて、
更に前記合掌フレーム(４)については、頂点部で突き合わせて固定される一対の垂木板(41)(41)と、これら垂木板(41)(41)同士を内側で繋ぐ下弦板(42)とを含んで構成されると共に、前記垂木板(41)が前記壁パネル枠(１)の縦枠材(11)の嵌込み溝(13)内に差し込まれた状態で固定されていることを特徴とする木造ユニット式建築構造体。
【請求項４】
全ての或いは一部の合掌フレーム(４)において、垂木板(41)(41)の片面に下弦板(42)が固定されると共に、垂木板(41)(41)の同じ面の頂点部から下弦板(42)の固定部にかけて下弦板(42)と同じ厚みの補強板(43)(43)が添え付けられ、更にこれら補強板(43)(43)と前記下弦板(42)に対して、束板(44a)と方杖板(44b)を含むトラス腹材(44)が固定されていることを特徴とする請求項３に記載の木造ユニット式建築構造体。
【請求項５】
一部の合掌フレーム(４)において、垂木板(41)(41)の頂点部の片面または両面に三角形型の補強用面材(45)が張り付けられると共に、垂木板(41)(41)の内側に、前記補強用面材(45)の下側の輪郭に沿って配置される横架材(46a)を含む面材固定板(46)が設けられて、この面材固定板(46)と垂木板(41)(41)に対し補強用面材(45)が固定されていることを特徴とする請求項４記載の木造ユニット式建築構造体。
【請求項６】
請求項１または２に記載の木造ユニット式建築構造体の組立て構法であって、
土台部材(Ｂ)上に２本以上の縦枠材(11)(11)…とそれらを繋ぐ横枠材(12)から成る壁パネル枠ユニット(Ｕ)(Ｕ)…を並設して壁パネル枠(１)を構築すると共に、前記壁パネル枠ユニット(Ｕ)として、両側に配置された縦枠材(11)の一方が芯板(11a)と片側の添え板(11b)のみから構成され、かつ、他方の縦枠材(11)が添え板(11b)のみから構成されたものを使用することにより、土台部材(Ｂ)上に並べた壁パネル枠ユニット(Ｕ)(Ｕ)の端側の縦枠材(11)(11)同士を、芯板(11a)の両側に添え板(11b)(11b)が配置されるように固定して一体化することを特徴とする木造ユニット式建築構造体の組立て構法。
【手続補正２】
【補正対象書類名】明細書
【補正対象項目名】０００９
【補正方法】変更
【補正の内容】
【０００９】
即ち、本発明は、ユニット化された壁部材や屋根部材を現場で組み上げて構築される木造ユニット式建築構造体において、土台部材Ｂや胴差部材Ｄ上に固定されて壁面を形成する壁パネル枠１と；この壁パネル枠１の外側に張り付けられる構造用面材２と；前記壁パネル枠１の上端部に固定される上階床組の床梁板３とを含んで構成する一方、前記壁パネル枠１については、継ぎ目の無い中央の芯板11aと継ぎ目の無い両側の添え板11b・11bを一体化した縦枠材11と、この縦枠材11・11同士を繋ぐ横枠材12とから構成し、前記縦枠材11の芯板11aには前記縦枠材11の添え板11b・11bよりも厚みの大きい板材を使用し、前記縦枠材11の添え板11b・11bには芯板11aよりも長尺の板材を使用して、縦枠材11の上端部に芯板11aの部分が凹んだ嵌込み溝13を形成し、芯板11aに対する添え板11b・11bの突出部の長さを、前記床梁板３の板幅に合わせて形成し、更に前記床梁板３を壁パネル枠１の縦枠材11の嵌込み溝13内に差し込んだ状態で固定した点に特徴がある(図１、図３参照)。
【手続補正３】
【補正対象書類名】明細書
【補正対象項目名】００１１
【補正方法】変更
【補正の内容】
【００１１】
また本発明では、木造ユニット式建築構造体として、土台部材Ｂや胴差部材Ｄ上に固定されて壁面を形成する壁パネル枠１と；この壁パネル枠１の外側に貼り付けられる構造用面材２と；前記壁パネル枠１上に載置されて屋根面を形成する複数の合掌フレーム４とを含んで構成する一方、前記壁パネル枠１については、継ぎ目の無い中央の芯板11aと継ぎ目の無い両側の添え板11b・11bが一体化した縦枠材11と、この縦枠材11・11同士を繋ぐ横枠材12とから構成し、前記縦枠材11の芯板11aには前記縦枠材11の添え板11b・11bよりも厚みの大きい板材を使用し、前記縦枠材11の添え板11b・11bに芯板11aよりも長尺の板材を使用して、縦枠材11の上端部に芯板11aの部分が凹んだ嵌込み溝13を形成し、芯板11aに対する添え板11b・11bの突出部の長さを、前記合掌フレーム４の垂木板41の板幅に合わせて形成し、更に前記合掌フレーム４については、頂点部で突き合わせて固定される一対の垂木板41・41と、これら垂木板41・41同士を内側で繋ぐ下弦板42とを含んで構成すると共に、前記垂木板41を前記壁パネル枠１の縦枠材11の嵌込み溝13内に差し込んだ状態で固定する構造も採用できる（図４参照）。
【手続補正４】
【補正対象書類名】明細書
【補正対象項目名】００１２
【補正方法】変更
【補正の内容】
【００１２】
また本発明では、全ての或いは一部の合掌フレーム４において、垂木板41・41の片面に下弦板42を固定すると共に、垂木板41・41の同じ面の頂点部から下弦板42の固定部にかけて下弦板42と同じ厚みの補強板43・43を添え付け、更にこれら補強板43・43と前記下弦板42に対して、束板44aと方杖板44bを含むトラス腹材44を固定することにより、耐荷重性に優れた合掌フレーム４を形成することができる（図６参照）。
【手続補正５】
【補正対象書類名】明細書
【補正対象項目名】００１３
【補正方法】変更
【補正の内容】
【００１３】
また上記合掌フレーム４を一部に採用する場合には、その他の一部の合掌フレーム４において、垂木板41・41の頂点部の片面または両面に三角形型の補強用面材45を張り付けると共に、垂木板41・41の内側に、前記補強用面材45の下側の輪郭に沿って配置される横架材46aを含む面材固定板46を設けて、この面材固定板46と垂木板41・41に対し補強用面材45を固定したものを使用することにより、耐荷重性を大きく損なわずに屋根材の重量を軽減することができる（図１０参照）。
【手続補正６】
【補正対象書類名】明細書
【補正対象項目名】００１４
【補正方法】変更
【補正の内容】
【００１４】
他方、本発明においては、上記木造ユニット式建築構造体の組立て構法として、土台部材Ｂ上に２本以上の縦枠材11・11…とそれらを繋ぐ横枠材12から成る壁パネル枠ユニットＵ・Ｕ…を並設して壁パネル枠１を構築すると共に、前記壁パネル枠ユニットＵとして、両側に配置された縦枠材11の一方が芯板11aと片側の添え板11bのみから構成され、かつ、他方の縦枠材11が添え板11bのみから構成されたものを使用することにより、土台部材Ｂ上に並べた壁パネル枠ユニットＵ・Ｕの端側の縦枠材11・11同士を、芯板11aの両側に添え板11b・11bが配置されるように固定して一体化することもでき、その場合には、クレーン等を使用せずに壁パネル枠１の構築を行うことができる（図１、図３参照）。
【手続補正７】
【補正対象書類名】明細書
【補正対象項目名】００１７
【補正方法】変更
【補正の内容】
【００１７】
以上のように、本発明によって、従来よりも運搬作業や施工作業を効率的かつ低コストに行うことができ、かつ、木造建築物としての充分な強度も確保できる木造ユニット式建築構造体であることから、本発明の実用的価値は頗る高い。
【手続補正８】
【補正対象書類名】明細書
【補正対象項目名】００１８
【補正方法】変更
【補正の内容】
【００１８】
【図１】本発明の第一実施形態における木造ユニット式建築構造体を表す全体概略図である。
【図２】本発明の第一実施形態における木造ユニット式建築構造体を表す拡大斜視図である。
【図３】本発明の第一実施形態における壁パネル枠及び床梁板の固定構造を表わす分解斜視図である。
【図４】本発明の第一実施形態における壁パネル枠及び合掌フレームの固定構造を表す分解斜視図である。
【図５】本発明の第一実施形態における壁構造を表す説明図である。
【図６】本発明の第一実施形態における合掌フレームを表す斜視図である。
【図７】本発明の第一実施形態における妻側の壁パネル枠を表す全体概略図である。
【図８】本発明の第一実施形態における妻側の壁パネル枠を表す説明図である。
【図９】本発明の第二実施形態における木造ユニット式建築構造体を表す全体概略図である。
【図１０】本発明の第二実施形態における合掌フレームを表す斜視図である。
【手続補正９】
【補正対象書類名】明細書
【補正対象項目名】００２２
【補正方法】変更
【補正の内容】
【００２２】
また上記一階部分と二階部分の壁パネル枠１・１については、図３〜図５に示すように、継ぎ目の無い中央の芯板11aと継ぎ目の無い両側の添え板11b・11bが一体化した縦枠材11・11…を横枠材12で繋いで格子状に一体化した構造となっており、また縦枠材11の添え板11b・11bには、芯板11aよりも長尺の板材を使用して、縦枠材11の上端部に芯板11aの部分が凹んだ嵌込み溝13を形成している。そして、上記二階部分の床組を構成する床梁板３を、図２及び図３に示すように、一階部分の壁パネル枠１の縦枠材11の嵌込み溝13内に差し込んで固定している。
【手続補正１０】
【補正対象書類名】明細書
【補正対象項目名】００２７
【補正方法】変更
【補正の内容】
【００２７】
[2-3]嵌込み溝
次に上記壁パネル枠１の嵌込み溝13に関しては、図３及び図４に示すように、芯板11aに対する添え板11b・11bの突出部の長さ(嵌込み溝13の深さ)を、差し込まれる床梁板３や合掌フレーム４の垂木板41の板幅に合わせて形成している。また本実施形態では、二階部分の壁パネル枠１において、縦枠材11の芯板11aの上端面に垂木板21の屋根勾配に応じた傾斜面を形成することで、芯板11aの上端面と垂木板21の下面とを面接触させた状態で固定できるようにしている。
【手続補正１１】
【補正対象書類名】明細書
【補正対象項目名】００４６
【補正方法】変更
【補正の内容】
【００４６】
これにより、屋根の耐荷重性を大きく損なわずに合掌フレーム４・４’…全体の重量を低減することができる。また本実施形態では、図１０(b)に示すように上記合掌フレーム４’の面材固定板46として横架材46aの左右中央と垂木板41・41の頂点とを繋ぐ鉛直材41bを設けることにより、補強用面材45の固定箇所を増やして合掌フレーム４’の頂点部の強度を高めている。なおトラス腹材44を有する合掌フレーム４と補強用面材45を有する合掌フレーム４’の比率や配置については、強度に応じて適宜変更できる。